(57)【要約】【解決手段】読取機５と二台の清算機７，８とからなるレジ清算装置２の清算ラインＬを複数列配設したレジ清算システム１において、読取機５から打ち出された清算シ−トを受け取った客３が、その清算シ−トを打ち出した特定の読取機５に隣接して並設した二台の清算機７，８のうちいずれかにその清算シ−トを読み取らせて合計金額を表示させ、その合計金額を入金する。【効果】読取機５ごとに設置した二台の清算機７，８のうち一方を使用中でも他方を使用することができるため、不正清算を防止するばかりでなく、清算時の待ち時間を短縮することができ、客３に対する清算処理を通路４に沿って円滑に行うことができる。また、読取機５と清算機７，８との間で客３が介在する清算シ−トを採用して、レジ清算システム１のレジ清算装置２を簡単にすることができる。【選択図】図１
2014002644.tif 000002
【特許請求の範囲】
【請求項１】
従業員が操作することによって商品の値段を読み取る読取機と、この読取機によって計算された合計金額を客が入金する清算機とを備え、この読取機に隣接して複数台の清算機を並設したことを特徴とするレジ清算システム。
【請求項２】
前記読取機と複数台の清算機とからなる清算ラインは、客が通る通路を介して複数列配設されていることを特徴とする請求項１に記載のレジ清算システム。
【請求項３】
前記複数台の清算機は客が通る通路に沿って並設されていることを特徴とする請求項２に記載のレジ清算システム。
【請求項４】
前記清算機は前記読取機に隣接して二台並設されていることを特徴とする請求項１〜３のうちいずれか一つの請求項に記載のレジ清算システム。
【請求項５】
商品の値段を読み取った読取機からの信号に基づき、複数台の清算機のうち特定の清算機に合計金額を表示させ、その特定の清算機を客に認識させる手段を設けたことを特徴とする請求項１〜４のうちいずれか一つの請求項に記載のレジ清算システム。
【請求項６】
従業員が操作することによって商品の値段を読み取る読取機から打ち出された清算シ−トを受け取った客が、その清算シ−トを打ち出した特定の読取機に隣接して並設した複数台の清算機のうちいずれかにその清算シ−トを読み取らせて合計金額を表示させ、その合計金額を入金することを特徴とするレジ清算方法。
【発明の詳細な説明】
【技術分野】
【０００１】
本発明は、スーパーマーケットなどにおいて、従業員の操作により商品の値段を読み取る読取機によって計算された合計金額を客が入金する清算機を備えたレジ清算システム、並びに、そのレジ清算システムを利用したレジ清算方法に関するものである。
【背景技術】
【０００２】
従来、複数台のレジ清算装置を並設したレジ清算システムでは、レジ清算装置ごとに従業員が商品の値段を読み取らせるとともに合計金額を客との間で清算していたので、清算に時間を要していた。
【０００３】
清算時間を短縮するために、従業員が読取機により商品の値段の読取りのみを行って客が清算機に合計金額を入金するレジ清算システムの一例では、読取機から打ち出された清算シ−トを受け取った客が、読取機から離れた場所に設置された複数台の清算機のうち選択したいずれかにその清算シ−トを読み取らせて合計金額を表示させ、その合計金額を入金していた。しかし、客がその清算機まで移動しなければならないばかりでなく、読取機と清算機との間のスペースを悪用して未入金のまま清算機から離れる不正が行われるおそれさえあった。
【０００４】
また、例えば下記の特許文献１では、清算機が読取機の付近で並設されているため、従業員が清算機に対する入金の有無を監視することができ、そのような不正を防止することができる。
【先行技術文献】
【特許文献】
【０００５】
【特許文献１】特開平８−６３６７２号公報
【発明の概要】
【発明が解決しようとする課題】
【０００６】
しかし、上記の特許文献１では、一台の清算機のみが読取機の付近で並設されているだけであるため、一台の清算機で先行の客が清算を手間取っている場合には、清算シ−トを受け取った後行の客を待たせるおそれがあった。
【０００７】
この発明は、不正清算を防止するばかりでなく、清算時の待ち時間を短縮することを目的としている。
【課題を解決するための手段】
【０００８】
後記実施形態の図面（図１）の符号を援用して本発明を説明する。
請求項１の発明にかかるレジ清算システム（１）においては、従業員（６）が操作することによって商品の値段を読み取る読取機（５）と、この読取機（５）によって計算された合計金額を客（３）が入金する清算機（７，８）とを備え、この読取機（５）に隣接して複数台の清算機（７，８）を並設した。
【０００９】
請求項１の発明では、読取機（５）に設置した複数台の清算機（７，８）のうち一方の清算機（７または８）を使用中でも他方の清算機（８または７）を使用することができるため、清算時の待ち時間を短縮することができる。
【００１０】
請求項１の発明を前提とする請求項２の発明において、前記読取機（５）と複数台の清算機（７，８）とからなる清算ライン（Ｌ）は、客（３）が通る通路（４）を介して複数列配設されている。請求項２の発明では、複数列の清算ライン（Ｌ）及び通路（４）の配設により多数の客（３）に対する清算処理を円滑に行うことができる。
【００１１】
請求項２の発明を前提とする請求項３の発明において、前記複数台の清算機（７，８）は客（３）が通る通路（４）に沿って並設されている。請求項３の発明では、客（３）に対する清算処理を客（３）が通る方向に沿って順次円滑に行うことができる。
【００１２】
請求項１〜３のうちいずれか一つの請求項の発明を前提とする請求項４の発明において、前記清算機（７，８）は前記読取機（５）に隣接して二台並設されている。請求項４の発明では、客（３）に対する清算処理を円滑に行うことができる範囲で清算機（７，８）の台数を制限することができる。
【００１３】
請求項１〜４のうちいずれか一つの請求項の発明を前提とする請求項５の発明において、商品の値段を読み取った読取機（５）からの信号に基づき、複数台の清算機（７，８）のうち特定の清算機（７または８）に合計金額を表示させ、その特定の清算機（７または８）を客（３）に認識させる手段（７ａ，８ａ）を設けた。請求項５の発明では、従業員（６）が操作することによって商品の値段を読取機（５）により読み取った後は、合計金額を表示させた特定の清算機（７または８）に客（３）がその合計金額を入金するだけでよい。
【００１４】
請求項６の発明にかかるレジ清算方法においては、従業員（３）が操作することによって商品の値段を読み取る読取機（５）から打ち出された清算シ−トを受け取った客（３）が、その清算シ−トを打ち出した特定の読取機（５）に隣接して並設した複数台の清算機（７，８）のうちいずれかにその清算シ−トを読み取らせて合計金額を表示させ、その合計金額を入金する。
【００１５】
請求項６の発明では、読取機（５）と複数台の清算機（７，８）との間に電気信号処理手段を採用せず、その電気信号処理手段に代えて客（３）が介在する清算シ−トを採用しているため、レジ清算システム（１）のレジ清算装置（２）を簡単にすることができる。
【発明の効果】
【００１６】
本発明は、スーパーマーケットなどにおけるレジ清算の際に、不正清算を防止するばかりでなく、清算時の待ち時間を短縮することができる。
【図面の簡単な説明】
【００１７】
【図１】（ａ）は複数台のレジ清算装置を有するレジ清算システムを概略的に示す平面図であり、（ｂ）は別例を概略的に示すブロック図である。
【発明を実施するための形態】
【００１８】
以下、本発明の一実施形態について図面を参照して説明する。
図１（ａ）に示すレジ清算システム１において、複数台のレジ清算装置２からなる清算ラインＬは、客３が通る通路４を介して複数列配設されている。それぞれのレジ清算装置２においては、通路４の入口４ａ側からの出口４ｂ側にわたり、従業員６のみにより操作される一台の読取機５と、通常は客３により操作される二台の清算機７，８とが、入口４ａ側と出口４ｂ側とを結ぶ通路方向Ｘに沿って互いに隣接して並設されている。
【００１９】
客３は購入した商品の清算をレジ清算システム１により次のようにして行う。
読取機５において、通路４を通る客３により購入された商品のバーコードが従業員６の操作により順次読み取られると、バーコードの読取りとともに順次表示された各商品を客３が値段とともに確認することができる。読取機５により読み取られた商品の値段の合計金額は、清算シ−トとして読取機５から打ち出される。客３はその清算シ−トを従業員６から受け取る。その清算シ−トを打ち出した特定の読取機５ごとに隣接して並べた二台の清算機７，８のうち使用していないものに、その清算シ−トを受け取った客３が、その清算シ−トを読み取らせると、商品の値段の合計金額が表示される。客３がその合計金額を入金すると、確認画面が表示され、おつりがある場合にはその金額も表示される。客３がその確認画面にタッチすると、おつりが出て清算操作が終了する。その後、客３は購入した商品をサッカー台に運んで買い物袋などに収容する。
【００２０】
この実施形態は下記の効果を有する。
（１）  読取機５と二台の清算機７，８とからなるレジ清算装置２の清算ラインＬを複数列配設したレジ清算システム１において、読取機５ごとに設置した二台の清算機７，８のうち一方を使用中でも他方を使用することができるため、清算時の待ち時間を短縮することができ、客３に対する清算処理を通路４に沿って円滑に行うことができる。
【００２１】
（２）  清算機７，８が読取機５の付近で並設されているため、従業員６が清算機７，８に対する入金の有無を監視することができ、不正清算を防止することができる。
（３）  読取機５から打ち出された清算シ−トを受け取った客３が、その清算シ−トを打ち出した特定の読取機５に隣接して設けた二台の清算機７，８のうちいずれかにその清算シ−トを読み取らせて合計金額を表示させ、その合計金額を入金するので、読取機５と清算機７，８との間で客３が介在する清算シ−トを採用して、レジ清算システム１のレジ清算装置２を簡単にすることができる。
【００２２】
前記実施形態以外にも例えば下記のように構成してもよい。
・  図１（ｂ）に示すように、商品の値段を読み取った読取機５からの信号に基づき、選択手段９は、二台の清算機７，８のうち、一方のみを使用している場合には使用していない他方のものを判別し、両方を使用している場合には使用を終えたものを判別し、両方を使用していない場合には出口４ｂ側にある清算機８を判別して、その使用していない特定の清算機７または８に合計金額を表示させ、その特定の清算機７または８を客３に認識させる手段として、例えば判別した清算機７または８における表示灯７ａまたは８ａを点滅させる。客３は点滅している清算機７または８に対し合計金額を入金する。従って、従業員６が操作することによって商品の値段を読取機５により読み取った後は、合計金額を表示させた特定の清算機７または８に客３がその合計金額を入金するだけでよい。
【００２３】
・  清算機を読取機５に隣接して三台以上並設することができる。
・  入口４ａ側と出口４ｂ側とを結ぶ通路方向Ｘに沿って二台の清算機７，８を並設するばかりではなく、通路方向Ｘに対し直交する方向に沿って複数台の清算機を並設したり、通路方向Ｘとその通路方向Ｘに対し直交する方向とに共に複数台の清算機を並設したりして、読取機５ごとに複数台の清算機７，８を設置することができる。
【符号の説明】
【００２４】
１…レジ清算システム、２…レジ清算装置、３…客、４…通路、５…読取機、６…従業員、７，８…清算機、Ｌ…清算ライン。
【図１】
2014002644.tif 000003